(57)【要約】      （修正有）【課題】ＬＮ２保持時間をＬＨｅ保持時間と一致させることができ、極低温液体の補充に係る整備コストを低減するＮＭＲ分光器を提供する。【解決手段】クライオスタットのヘリウムタンク内に配されたＮＭＲ磁石システム（２７）と、冷却式ＲＦ共振器（９）と冷却式前置増幅器（１０）とを含みクライオスタットの室温ボア内に配されたＮＭＲプローブヘッド（１１）とを具備し、ＮＭＲプローブヘッド（１１）が多段冷凍機（２）により冷却され、また、冷却ラインを有する冷却回路が、多段冷凍機（２）の熱交換器（５，６）を含むハウジング（１）とＮＭＲプローブヘッド（１１）との間に配されているＮＭＲ分光器において、ＬＮ２タンク（１８）への追加冷却ラインまたはクライオスタット内に配されヘリウムタンクを囲む放射シールド（２１）への追加冷却ラインが設けられ、冷凍機（２）がＬＮ２タンク（１８）または放射シールド（２１）の冷却も行なう。【選択図】図２
2006138851.tif 000002
【特許請求の範囲】
【請求項１】
クライオスタットのヘリウムタンク内に配されたＮＭＲ磁石システム（２７）を具備すると共に検査対象サンプルからＮＭＲ信号を受信する冷却式ＲＦ共振器（９）と冷却式前置増幅器（１０）とを含み前記クライオスタットの室温ボア内に配されたＮＭＲプローブヘッド（１１）を具備し、前記ＮＭＲプローブヘッド（１１）が共通のコンプレッサ作動式多段冷凍機（２）により冷却され、前記冷凍機（２）が低温ヘッドおよび温度レベルを異にする幾つかの熱交換器（５，６）を備え、前記冷凍機（２）が、排気されかつ熱絶縁された別のハウジング（１）内で前記クライオスタットから空間的に離間して配され、また、輸送ライン（１３，１４）によって熱絶縁された冷却ラインを有する少なくとも１つの冷却回路が前記熱交換器（５，６）を含む前記ハウジング（１）と前記ＮＭＲプローブヘッド（１１）との間に配されているＮＭＲ分光器において、ＬＮ２タンク（１８）への追加冷却ラインまたは前記クライオスタット内に配され前記ヘリウムタンクを囲む放射シールド（２１）への追加冷却ラインが設けられ、前記冷凍機（２）が前記ＬＮ２タンク（１８）または前記放射シールド（２１）の冷却も行なうことを特徴とするＮＭＲ分光器。
【請求項２】
前記冷凍機（２）は、前記ＬＮ２タンク（１８）または前記放射シールド（２１）のみを冷却し、前記クライオスタット内の前記ヘリウムタンクを冷却しないことを特徴とする請求項１記載のＮＭＲ分光器。
【請求項３】
前記ＲＦ共振器（９）に至る冷却ライン、前記前置増幅器（１０）に至る冷却ラインおよび前記ＮＭＲ磁石システム（２７）に至る冷却ラインは、共通の熱絶縁されたセクション（２６）を輸送ライン内に有し、この共通の熱絶縁セクションは輸送ライン（１３，１４，１７）の全長の少なくとも５０％、好ましくは約９０％を備えることを特徴とする請求項１または２のいずれかに記載のＮＭＲ分光器。
【請求項４】
前記輸送ライン（１３，１４，１７）は、前記ＮＭＲプローブヘッド（１１）またはクライオスタットから前記冷凍機（２）をデカップリングする振動減衰部品を備えることを特徴とする請求項１乃至３のいずれかに記載のＮＭＲ分光器。
【請求項５】
前記ハウジング（１）と前記ＮＭＲプローブヘッド（１１）との間に２つの冷却回路が設けられ、そのうちの１つの冷却回路が約７７Ｋの戻り経路温度を有し、前記ＮＭＲプローブヘッド（１１）内の前置増幅器の電子部品を好ましく冷却することを特徴とする請求項１乃至４のいずれかに記載のＮＭＲ分光器。
【請求項６】
前記ハウジング（１）と前記クライオスタットと前記ＮＭＲプローブヘッド（１１）との間に共通の冷却回路が設けられ、前記共通の冷却回路の戻り経路温度が約７７Ｋであり、前記共通の冷却回路が前記ＮＭＲプローブヘッド（１１）内の前置増幅器の電子部品とＬＮ２タンク（１８）または前記クライオスタット内の放射シールド（２１）とを好ましく冷却することを特徴とする請求項１乃至５のいずれかに記載のＮＭＲ分光器。
【請求項７】
前記共通の冷凍機（２）は少なくとも１つのステージ交換器（５，６）を備え、前記ステージ交換器に沿って少なくとも１つの冷媒が導かれ、この冷媒が規定温度に予備冷却されることを特徴とする請求項１乃至６のいずれかに記載のＮＭＲ分光器。
【請求項８】
前記冷凍機（２）の前記コンプレッサ（１２）が、前記冷却回路の少なくとも１つを追加的に駆動することを特徴とする請求項１乃至７のいずれかに記載のＮＭＲ分光器。
【請求項９】
ＬＮ２タンク（１８）または放射シールドを冷却する冷却回路は、冷媒の流量を調整するバルブ（２０，２５）と、前記ＬＮ２タンク（１８）または放射シールド（２１）に熱的に接触している熱交換器（１９）とを備えることを特徴とする請求項１乃至８のいずれかに記載のＮＭＲ分光器。
【発明の詳細な説明】
【技術分野】
【０００１】
本発明は、クライオスタットのヘリウムタンク内に配されたＮＭＲ磁石システムと、検査対象サンプルからＮＭＲ信号を受信する冷却式ＲＦ共振器を含みクライオスタットの室温ボア内に配されたＮＭＲプローブヘッドと、冷却式前置増幅器とを具備し、ＮＭＲプローブヘッドが共通のコンプレッサ作動式多段冷凍機により冷却され、冷凍機が低温ヘッドおよび温度レベルを異にする幾つかの熱交換器を備え、冷凍機が、排気されかつ熱絶縁された別のハウジング内でクライオスタットから空間的に離間して配され、そして、少なくとも１つの冷却回路が、輸送ラインによって熱絶縁された冷却ラインを備えてまた熱交換器を含むハウジングとＮＭＲプローブヘッドとの間に延在して設けられたＮＭＲ分光器に関する。
【背景技術】
【０００２】
この種の装置は、特許文献１に開示されている。
【０００３】
ＮＭＲ分光器のＮＭＲプローブヘッドは、測定装置と共に磁石クライオスタットのボア内に配されている。この磁石クライオスタットは、ＮＭＲ測定に必要な磁界を生成する超伝導コイルを収容している。ＮＭＲプローブヘッドおよび磁石クライオスタットは、動作中、極低温に維持しなければならない。従って、熱伝導および熱放射によって生じる熱損失が問題になる。
【０００４】
ＮＭＲ分野におけるクライオ冷却システムの２つの重要な用途は、ＲＦ共振器および前置増幅器を極低温に冷却するべくクライオプローブヘッドを冷却すること及び超伝導ＮＭＲ磁石を冷却するべくクライオスタットを極低温に冷却することであり、従って、ＬＮ２およびＬＨｅ（ＬＮ２＝液体窒素、ＬＨｅ＝液体ヘリウム）の両方のゼロ蒸発速度を実現することである。
【０００５】
今日、この問題を解決するために設計された各種システムが種々の企業から市販されている。非特許文献１によれば、ジャパンスーパーコンダクタテクノロジー株式会社（ＪＡＳＴＥＣ）（日本）は、４００ＭＨｚまでの超伝導磁石システム向けにクライオスタットのＬＮ２領域を冷却する冷却システムを提供している。この冷却システムは低振動パルス管冷却ユニットを含むが、従来のＧＭ冷却ユニット（ＧＭ＝ギボード・マクマーン）よりも最大冷却力が小さい。従って、ＬＮ２のゼロ蒸発速度はせいぜい４００ＭＨｚまでのＮＭＲ磁石システムについて達成されるに過ぎない。
【０００６】
非特許文献２によれば、日本サーマルエンジニアリング株式会社（日本）は、６００ＭＨｚまでの超伝導磁石向けにクライオスタットのＬＮ２領域を冷却する冷却システムを提供している。この冷却システムは、ジャパンスーパーコンダクタテクノロジー株式会社（ＪＡＳＴＥＣ）のものよりも強い振動を発生する強力なＧＭユニットを含むが、ＬＮ２のゼロ蒸発速度を６００ＭＨｚの磁石システムで提供するものになっている。
【０００７】
非特許文献３によれば、従来、オックスフォード・インストルーメンツ・スーパーコンダクティビティ社（英国）により超伝導ＮＭＲ磁石が製造されており、この超伝導ＮＭＲ磁石はクライオスタットのＬＨ２領域およびＬＨｅ領域を冷却する冷却システムを備えている。この冷却システムは、クライオスタットに直接取り付けられＬＮ２およびＬＨｅの両方のゼロ蒸発速度を達成する低振動パルス管冷却ユニットを利用している。
【０００８】
非特許文献４及び５によれば、ブルカーバイオスピンアーゲー社およびバリアント社（米国）は、ＲＦ共振気を極低温冷却する「クライオプラトフォーム」（ブルカーバイオスピンアーゲー社）および「クライオベイ」（バリアント社）と称される冷却システムをそれぞれ販売している。これら２つの冷却システムはＧＭ冷却ユニットを含み、輸送・冷却手段として低温ヘリウムガスを使用している。
【０００９】
特許文献１は、ＮＭＲプローブヘッドを冷却する冷凍機を備えた装置を開示している。冷凍機によって生成された冷却力が、熱交換器と、冷凍機からＮＭＲプローブヘッドへの輸送ラインとにより伝達される。この輸送ラインを通してポンプまたはコンプレッサによりＮＭＲプローブヘッドに冷媒が供給される。通常、プローブヘッドの冷却部品は１０〜６０ケルビンの温度にある。通常、ギボード・マクマーンクーラ（ＧＭ）またはパルス管クーラ（ＰＴ）が冷凍機として使用される。
【特許文献１】米国特許第５，８８９，４５６号明細書
【非特許文献１】http://www.jastec.org/eg/product/chisso/chisso.html
【非特許文献２】http://www.j-thermal.co.jp/jnrs-400.html
【非特許文献３】http://www.oxinst.com/SCNNWP723.htm
【非特許文献４】http://www.bruker-biospin.com/nmr/products/crp_platform.html
【非特許文献５】http://www.varianinc.com/cgi-bin/nav?products/nmr/probes/liquids/cold_-probes/cold_system&cid=OHQOMQKFN
【発明の開示】
【発明が解決しようとする課題】
【００１０】
アクティブなクライオ冷却を具備しないＮＭＲ磁石システムのほとんどでＬＨｅ保持時間は６ヵ月以上であるが、ＬＮ２保持時間は２〜３週間に過ぎない。ＬＮ２保持時間が短いことはクライオスタット構造のみに起因するものであり、ＬＮ２タンクの熱遮蔽に過大な費用をかけない限りＬＮ２保持時間は短いままである。
【００１１】
ＬＮ２損失は約７７Ｋでおよそ１０〜２０ワットであり、このＬＮ２損失は小型のアクティブ冷却ユニットにより容易に補うことができる。小型で低出力のアクティブ冷却ユニットは例えばコンプレッサなどの別の基本ユニットも必要とし、安価ではない。従って、ＬＮ２損失を低減または完全に補償する目的のみを解決するために必要な費用が過大になることが多い。
【００１２】
よって、本発明の基礎となる目的は、高い費用をかけずにＬＮ２保持時間をＬＨｅ保持時間と一致させることができ、極低温液体の補充に係る整備コストを低減するＮＭＲ分光器を提案することである。
【課題を解決するための手段】
【００１３】
この目的は、本発明に従い、窒素タンク用の追加冷却ラインまたはクライオスタット内に配されヘリウムタンクを囲む放射シールド用の追加冷却ラインを設け、冷凍機が窒素タンクまたは放射シールドも冷却することにより達成される。
【００１４】
ＮＭＲプローブヘッドを冷却する冷却装置は、実質的に追加費用なしにこの冷却装置が約３４Ｋの過剰な冷却力を放出してＬＮ２損失を補償可能なよう必要な大きさにすることができる。このため、約３４Ｋの温度のヘリウムガスの一部が前置増幅器の冷却に用いられるだけでなく、ＬＮ２タンクの蒸発したＮ２ガスと密接しておりこの蒸発ガスを部分的または完全に再凝縮する熱交換器に当該ヘリウムガスの一部が更なる輸送ラインを介して導かれる。これによりＬＮ２消費が大幅に低減し、例えば７ヵ月ごとにのみＬＨｅタンクおよびＬＮ２タンクの両方を同時に補充可能になる。このため、ＬＮ２損失に起因する２〜３週間ごとの補充が不要になる。
【００１５】
このアイディアはＬＮ２タンク冷却の解決策が簡易であることを考慮すると意外なものであり、また安価に実現可能なものでもある。この解決策の簡易さは、必要な構造部品を後付けユニットとして設計することもできるという更なる利点を有する。すなわち、現場で既に稼動しているＮＭＲ分光器に安価なＬＮ２冷却を後付けすることができる。
【００１６】
本発明のＮＭＲ分光器の特に簡易な実施形態では、冷凍機は窒素タンクまたは放射シールドのみを冷却し、クライオスタットのヘリウムタンクを冷却するものではない。
【００１７】
このＮＭＲ分光器の好適な実施形態において、ＲＦ共振器に至る冷却ライン、前置増幅器に至る冷却ラインおよびＮＭＲ磁石システムに至る冷却ラインは共通の熱絶縁されたセクションを輸送ライン内に有し、この共通の熱絶縁セクションは輸送ライン全長の少なくとも５０％、好ましくは約９０％を備え、冷却対象物への冷媒の輸送中における温度損失を低減する。
【００１８】
本発明の特に好適な実施形態では、共通の熱絶縁セクション内で、最低エネルギーレベルを有する冷却ラインは、より高いエネルギーレベルを有する少なくとも１つの放射シールドから熱遮蔽される。最低エネルギーレベルにある冷却ラインが晒される温度差がこれにより減少し、エネルギー損失が低減し、ラインセクションに対する絶縁要件が緩和される。
【００１９】
好適な実施形態において、輸送ラインは、冷凍機およびＮＭＲサンプルからデカップリングしまたは冷凍機およびクライオスタットからデカップリングする振動減衰部品を有し、これによりＮＭＲ測定品質が向上する。
【００２０】
好ましくは、ハウジングと約７７Ｋの戻り経路温度を有するクライオスタットとの間に冷却回路が設けられる。この種の冷却回路は、特に、放射シールドまたは窒素タンクの冷却に適している。
【００２１】
そしてさらに、２つの冷却回路がハウジングとＮＭＲプローブヘッドとの間に有利に設けられ、そのうちの１つの冷却回路が約７７Ｋの戻り経路温度を有し、ＮＭＲプローブヘッド内の前置増幅器の電子部品を好ましく冷却する。
【００２２】
特に有利な方法で、ハウジングとクライオスタットとＮＭＲプローブヘッドとの間に共通の冷却回路が設けられ、共通の冷却回路の戻り経路温度は約７７Ｋであり、共通の冷却回路がプローブヘッド内の前置増幅器電子部品と窒素タンクまたはクライオスタット内の放射シールドとを好ましく冷却し、冷凍機の冷却力の特に効率的な利用を確実にする。
【００２３】
特定の実施形態では、約７７Ｋの戻り経路温度を有する冷却回路は冷媒としてのヘリウムガスで作動する。
【００２４】
本発明のＮＭＲ分光器の更なる実施形態において、ハウジングとＮＭＲプローブとの間に位置する冷却回路の１つが約１５Ｋの戻り経路温度を有し、冷媒としてのヘリウムガスで作動する。
【００２５】
本発明のＮＭＲ分光器の特に好適な実施形態では、共通の冷凍機が少なくとも１つのステージ交換器を備え、このステージ交換器に沿って少なくとも１つの冷媒が導かれ、この冷媒が規定温度に予備冷却される。これにより、熱交換器の１つを省略することができる。輸送ラインと再生器との接触面の長さを選択することにより冷媒温度を個別に調整するという更なる可能性もある。
【００２６】
共通の冷凍機は、好ましくはギボード・マクマーンクーラまたはパルス管クーラである。特に、パルス管クーラを使用すると、固定の再生器チューブへの輸送ラインの取り付け、したがって温度交換がかなり容易になる。
【００２７】
更に、冷凍機コンプレッサは冷却回路の少なくとも１つを駆動可能である。この場合、追加コンプレッサは不要である。
【００２８】
特に好ましくは、窒素タンクまたは放射シールドを冷却する冷却回路は、冷媒流量を調整するバルブと、窒素タンクまたは放射シールドと熱的に接触する熱交換器とを備える。
【００２９】
本発明のＮＭＲ分光器の特別な実施形態では、冷却回路は順方向経路および／または戻り経路に少なくとも１つの分岐を有するヘリウム回路を形成する。
【００３０】
本発明の更なる利点は明細書および図面から引き出すことができる。上述のおよび後述の特徴は個別にまたは任意の組み合わせで使用することができる。図示され説明される実施形態は完全な列挙として理解されるものではなく、本発明を説明するための例示的な性質を有するものである。
【発明を実施するための最良の形態】
【００３１】
図１は、排気されかつ熱絶縁されたハウジング１を備える従来の冷却装置を示し、ハウジング１には、第１の冷却ステージ３と第２の冷却ステージ４とステージ交換器５，６とを有する冷凍機２が収容され、また対向流熱交換器７，８が収容されている。冷却装置は、共にＮＭＲプローブヘッド１１の一部であるＲＦ共振器９および前置増幅器１０を冷却するものである。この冷却装置に類した変形が特許文献１に記載されているが、このものは、閉じたガス回路のヘリウムガスの循環が別の循環ポンプにより行われるのではなくて冷凍機２のヘリウムコンプレッサ１２により行われる点が異なる（米国特許第５，５０８，６１３号に類似）。
【００３２】
ヘリウムガスは１以上の閉回路を流れるものであって、冷却力の輸送に用いられる。ハウジング１およびＮＭＲプローブヘッド１１は輸送ライン１３，１４を介して互いに接続され、これによりＲＦ共振器９および前置増幅器１０を冷却するヘリウムガス冷却回路が閉じられている。空気を介した熱伝導による熱損失を防止するため、ＮＭＲプローブヘッド１１および２つの輸送ライン１３，１４はハウジング１と同様に排気される。ＲＦ共振器９および前置増幅器１０を冷却する冷却力を提供する冷凍機２は、ガスラインを介してコンプレッサ１２に接続されている。冷凍機２の第１の冷却ステージ３は約３５．４Ｋであり、第２の冷却ステージ４は約１０Ｋである。両冷却ステージ３，４は冷却源として機能する熱タップ面を有し、種々の個別部品を熱タップ面に接続して冷却を行うことができる。この種の個別部品としては、冷凍機２の第１の冷却ステージ３または第２の冷却ステージ４に接続されたステージ交換器５，６がある。
【００３３】
コンプレッサ１２は、閉じた冷却回路のヘリウムガスを循環させる。冷却回路の冷媒流量はバルブ１５により調整される。コンプレッサ１２からのヘリウムガスはほぼ室温（３００Ｋ）でハウジング１に入り、最初に第１の対向流熱交換器７により６６．１Ｋに予備冷却され、次いで、第２の対向流熱交換器８に達する前に冷凍機２の第１の冷却ステージ３のステージ交換器５で３５．４Ｋに冷却される。そして、ヘリウムガスは第２の対向流熱交換器で１６Ｋまで冷却され、その下流の第２の冷却ステージ４のステージ交換器６で１０Ｋの最終温度まで冷却される。この低温ヘリウムガスは輸送ライン１３を介してＲＦ共振器９に供給され、ＲＦ共振器を１５Ｋに冷却する。１５Ｋまで加熱されたヘリウムガスは、その後、輸送ライン１３を介してハウジング１に供給され、そして対向流熱交換器８に供給される。対向流熱交換器８の下流では、３４．４Ｋまで冷却されたヘリウムガスの一部（約５３％）が対向流熱交換器７を介してコンプレッサ１２に戻される。３４．４Ｋまで冷却されたヘリウムガスの残部（約４７％）は輸送ライン１４を介して前置増幅器１０に導かれ、前置増幅器を７７Ｋに冷却する。７７Ｋにまで加熱されたヘリウムガスは、その後、輸送ライン１４を介してハウジング１に導かれ、対向流熱交換器７を介してコンプレッサ１２に導かれる。前置増幅器１０を通る冷媒の流量はバルブ１６によって調整される。
【００３４】
図２は、本発明の追加冷却回路付きＮＭＲ分光器の実施形態の概略図を示し、このＮＭＲ分光器では低温ヘリウムガスが追加輸送ライン１７を介してＮＭＲ磁石システム２７のＬＮ２タンク１８に導かれ、このタンクでは蒸発した窒素ガスが熱交換器１９を用いて部分的または完全に再凝縮される。ヘリウムガスの、約３４Ｋの温度を有する部分は、前置増幅器１０の冷却に用いられず、この一部が更なる輸送ライン１７を介して熱交換器１９に導かれる。熱交換器１９はＬＮ２タンク１８の蒸発したＮ２ガスと密接しており、この蒸発Ｎ２ガスを部分的または完全に再凝縮する。ヘリウムガスは、５０％が前置増幅器１０に分配されると共に５０％がＬＮ２タンク１８に分配されるように前置増幅器１０とＬＮ２タンク１８間で分配可能である（図２に示す）。バルブ１６及び２０は、２つのヘリウム質量流量、すなわち前置増幅器１０へのヘリウム質量流量とＮＭＲ磁石システム２７のＬＮ２タンク１８へのヘリウム質量流量とを調整する役割を果たす。このように、ＮＭＲ分光器の磁石システム２７のＬＮ２タンク１８の冷却は、追加輸送ライン１７と追加バルブ２０とを単に取り付けることにより行うことができる。冷凍機やコンプレッサの追加は不要である。
【００３５】
追加して設けた輸送ライン１７によりＮＭＲ磁石システム２７のＬＮ２タンク１８を冷却する図２の実施形態に加えて、ＬＨｅタンクまわりに配置された放射シールド２１を輸送ライン１７により冷却する他の可能性もある。本発明のＮＭＲ分光器のその様な実施形態を図３に示す。この場合、放射シールド２１に熱的に密接している熱交換器２２に低温ヘリウムガスが輸送ライン１７を介して供給される。放射シールド２１は熱交換器２２での熱移動によって冷却される。
【００３６】
図４は本発明のＴ形輸送ライン２３付き装置の実施形態を示す。冷却回路はハウジング１内で分岐されるのではなく、Ｔ形輸送ライン２３内の分岐領域２４で分岐されている。Ｔ形輸送ライン２３の分岐領域２４に位置するバルブ２５はバルブ２０の機能を奏する。上記実施形態の３つの個々の輸送ライン１３，１４及び１７は、分岐領域２４を有する一つのＴ形輸送ライン２３に組み合わされる。Ｔ形輸送ライン２３はハウジング１から始まって分岐領域２４で終わる追加セクション２６を有し、この追加セクション２１では前置増幅器１０への冷却ラインおよびＮＭＲ磁石システム２７への冷却ラインの各々が一つの供給・戻りラインに組み合わされ、これらの供給・戻りラインおよびＲＦ共振器９への供給・戻りラインは、輸送ライン２３の、熱絶縁された同一空間内にあり、互いに平行に導かれている。このため、より高いエネルギーレベルにあると共に前置増幅器１０への冷却ラインおよびＮＭＲ磁石システム２７への冷却ラインに熱的に密接している放射シールドを用いて、最低エネルギーレベルにある冷却ライン（ＲＦ共振器９への冷却ライン）を熱遮蔽するための前提条件が提供される。これによりＲＦ共振器９への冷却ラインでの冷却損失が大幅に低減する。ハウジング１内のバルブ１６およびＴ形輸送ライン２３の分岐領域２４内のバルブ２５により、前置増幅器１０への約３４Ｋのヘリウム質量流量およびＮＭＲ磁石システム２７のＬＮ２タンク１８への約３４Ｋのヘリウム質量流量が調整される。この種のＴ形輸送ライン２３を介して放射シールド２１冷却することも勿論可能である。
【００３７】
ＮＭＲプローブヘッドを冷却するために設けられた冷凍機を用いてまた高い費用をかけずにＬＮ２タンクを冷却することにより、ＬＮ２保持時間をＬＨｅ保持時間と一致させることができる簡素で安価な全体装置を得る。
【図面の簡単な説明】
【００３８】
【図１】従来技術による冷却装置を示す。
【図２】ＬＮ２タンクを冷却する追加冷却回路を具備した本発明の冷却装置を示す。
【図３】放射シールドを冷却する追加冷却回路を具備した本発明の冷却装置を示す。
【図４】Ｔ形輸送ラインを具備した本発明の冷却装置を示す。
【符号の説明】
【００３９】
１  ハウジング
２  冷凍機
３  冷凍機の第１ステージ
４  冷凍機の第２ステージ
５  冷凍機の第１ステージのステージ交換器
６  冷凍機の第２ステージのステージ交換器
７  第１の対向流熱交換器
８  第２の対向流熱交換器
９  ＲＦ共振器
１０  前置増幅器
１１  ＮＭＲプローブヘッド
１２  コンプレッサ
１３  ＲＦ共振器への輸送ライン
１４  前置増幅器への輸送ライン
１５  バルブ
１６  バルブ
１７  ＮＭＲ磁石システムへの輸送ライン
１８  ＬＮ２タンク
１９  ＬＮ２タンクの熱交換器
２０  バルブ
２１  放射シールド
２２  放射シールドの熱交換器
２３  Ｔ形輸送ライン
２４  Ｔ形輸送ラインの分岐領域
２５  バルブ
２６  輸送ラインの共通セクション
２７  ＮＭＲ磁石システム
【図１】
2006138851.tif 000003
【図２】
2006138851.tif 000004
【図３】
2006138851.tif 000005
【図４】
2006138851.tif 000006
【外国語明細書】
2006138851000001.pdf
2006138851000002.pdf
2006138851000003.pdf
2006138851000004.pdf